(57)【要約】      （修正有）【課題】カバープレートの裏面に配設したコネクタと携帯端末装置等との接続に用いられる接続用ケーブルに負荷をかけることなく、コネクタと携帯端末等との間の接続作業の作業効率を向上させることができるエレベータ装置の乗場操作装置を得る。【解決手段】乗場１の壁５に設けられた配設穴５ａの開口を覆って配設されたカバープレート１２と、カバープレート１２の裏面から配設穴５ａ内に水平にそれぞれが延設され、カバープレート１２の動きに連動し、所定の間隔をあけて設けられた少なくとも一対のスライド棒１７と、配設穴５ａの内壁に配設されて挿通穴を有し、挿通穴に挿通されたスライド棒１７をスライド自在に支持するスライド棒挿通部材２１と、カバープレート１２の裏面に配設され、エレベータ制御装置及びかごに配設された機器の少なくとも一方に接続された第１及び第２のコネクタ３１Ａ，３１Ｂと、を備えている。【選択図】図２
2008174317.tif 000002
【特許請求の範囲】
【請求項１】
三方枠が配設された乗場の壁に設けられた配設穴の開口を覆うように配設され、乗場呼び釦及び表示部の少なくとも一方が配設されたカバープレートと、
上記カバープレートの裏面から上記配設穴内に水平にそれぞれが延設され、上記カバープレートの動きに連動し、所定の間隔をあけて設けられた少なくとも一対のスライド棒と、
上記配設穴の内壁に配設されて挿通穴を有し、該挿通穴に挿通された上記スライド棒をスライド自在に支持するスライド棒挿通部材と、
上記配設穴内で上記カバープレートの裏面に配設され、エレベータ制御装置及びかごに配設された機器の少なくとも一方に電気的に接続されたコネクタと、
を備えていることを特徴とするエレベータ装置の乗場操作装置。
【請求項２】
上記スライド棒は上記カバープレートの裏面側の先端を支点とする鉛直軸周りに回動自在に配設され、
上記スライド棒挿通部材は鉛直軸周りに回動自在に配設されていることを特徴とする請求項１記載のエレベータ装置の乗場操作装置。
【請求項３】
上記三方枠が隣接して配設され、
上記配設穴が上記三方枠の間の上記壁に設けられ、
上記コネクタは、同一機能を有する第１のコネクタ及び第２のコネクタで構成され、上記第１のコネクタがカバープレートの裏面における一方の上記三方枠側の縁部に沿って、かつ嵌合部を一方の上記三方枠側に向けて配設され、上記第２のコネクタが上記カバープレートの裏面における他方の上記三方枠側の縁部に沿って、かつ嵌合部を他方の上記三方枠側に向けて配設されていることを特徴とする請求項２記載のエレベータ装置の乗場操作装置。
【発明の詳細な説明】
【技術分野】
【０００１】
この発明は、エレベータ装置の乗場操作装置に係り、特に、カバープレートの裏面に配設したコネクタに携帯端末等を接続させてエレベータ装置のメンテナンスを行うのに適したエレベータ装置の乗場操作装置に関する。
【背景技術】
【０００２】
従来のエレベータ装置は、呼び釦が取付けられたカバープレート、このカバープレートが取付けられるボックスを有する乗場操作装置を備え、ボックス内にはエレベータ制御装置に接続されたコネクタが収納され、必要時、カバープレートはボックスから外されてコネクタは乗場に用意された携帯端末装置に接続可能な状態とされ、ボックスとカバープレートとは所定の長さの紐体で連結されていた（例えば、特許文献１参照）。
これにより、外されたカバープレートが紐体を介してボックスに保持されるので、カバープレートが、呼び釦などに接続される配線用ケーブルに宙吊り状態となることが回避されていた。従って、配線用ケーブルに負荷を掛けずに携帯端末装置とコネクタとを接続し、エレベータ制御装置のデータ書き換えなどのメンテナンス作業を実施することが可能になっていた。
【０００３】
【特許文献１】特開２００２−３０８５４０号公報
【発明の開示】
【発明が解決しようとする課題】
【０００４】
従来のエレベータ装置において、コネクタはボックス内の底部（反乗場側）に取付けられている。そして、ボックス内のコネクタと携帯端末装置との接続は、一端が携帯端末装置に接続され、他端にボックス内のコネクタと嵌合可能なコネクタを有するケーブルを介して行われている。
【０００５】
しかしながら、携帯端末装置をエレベータ制御装置と接続するために、ボックス内のコネクタとケーブルのコネクタを嵌合させる作業においては、ボックス内のコネクタが乗場側に露出していないので、上述の配線用ケーブル等が邪魔になったりして作業効率が悪くなるという問題があった。
また、カバープレートは、紐体によってボックスに吊り下げられただけの不安定な状態にあり、乗場側からボックス内に引き回されたケーブルがカバープレートとボックスとの間に挟まれ、ケーブルに負荷がかかる場合もあった。
【０００６】
この発明は上記の問題を解決するためになされたものであり、カバープレートの裏面に配設したコネクタと携帯端末装置等との接続に用いられる接続用ケーブルに負荷をかけることなく、コネクタと携帯端末等との間の接続作業の作業効率を向上させることができるエレベータ装置の乗場操作装置を得ることを目的とする。
【課題を解決するための手段】
【０００７】
この発明によるエレベータ装置の乗場操作装置は、三方枠が配設された乗場の壁に設けられた配設穴の開口を覆うように配設され、乗場呼び釦及び表示部の少なくとも一方が配設されたカバープレートと、カバープレートの裏面から配設穴内に水平にそれぞれが延設され、カバープレートの動きに連動し、所定の間隔をあけて設けられた少なくとも一対のスライド棒と、配設穴の内壁に配設されて挿通穴を有し、挿通穴に挿通されたスライド棒をスライド自在に支持するスライド棒挿通部材と、配設穴内でカバープレートの裏面に配設され、エレベータ制御装置及びかごに配設された機器の少なくとも一方に電気的に接続されたコネクタと、を備えている。
【発明の効果】
【０００８】
この発明によれば、コネクタをカバープレートの裏面に配設したので、カバープレートを乗場側にスライドさせたときには、コネクタが乗場側に露出され、コネクタと乗場に用意した携帯端末等とを接続する際の作業効率を向上させることができる。
また、カバープレートは、安定した状態に保持されているので、乗場から配設穴内に引き回された接続用ケーブルがカバープレートと配設穴との間に挟まれるようなことが未然に防止され、接続用ケーブルに負荷をかけたり傷を負わせたりすることがなくなる。
【発明を実施するための最良の形態】
【０００９】
以下、この発明を実施するための最良の形態について、図面を参照して説明する。
図１はこの発明に係る乗場操作装置がエレベータの最下階の乗場の壁に設けられた状態を示す正面図、図２は図１のＩＩ−ＩＩ矢視断面図、図３は図２のＩＩＩ−ＩＩＩ矢視断面図、図４はこの発明に係る乗場操作装置のスライド棒支持部の構成を示す斜視図、図５はこの発明に係る乗場操作装置のカバープレートが乗場の壁から乗場側に引き出された状態を示す正面図、図６は図５のＶＩ−ＶＩ矢視断面図、図７は図６のＶＩＩ−ＶＩＩ矢視断面図である。
【００１０】
図１において、エレベータ装置が設置される建物の各階床の乗場１の壁５には、昇降路（図示せず）に開口する出入り口２を備える三方枠３が間口方向に離間して備えられ、さらに、それぞれの出入り口２を開閉する乗場ドア４が配設されている。そして、図示しないが、２台のかごが、各階床に配設された両三方枠３の出入り口２に対応する昇降路内を昇降運転している。
【００１１】
そして、矩形形状の開口を有する配設穴５ａが、離間して配置された両三方枠３の間の壁５の部位に形成されている。さらに、矩形形状のカバープレート１２が、長辺の長さ方向を鉛直方向に合わせ、配設穴５ａの開口を覆うように配設されている。カバープレート１２には、乗場呼び釦１２ａ、及び昇降路内を昇降するかごが上昇または下降のどちらの方向に走行しているかを表示したり、かごが建物の階床のどの位置にいるのかなどを表示したりするための表示部１２ｂが取り付けられている。
そして、ノートパソコンなどの携帯端末装置２６が、エレベータ制御装置のデータ書き換えなどのメンテナンス作業を行うために乗場１に持ち込まれている。また、接続用ケーブル９の一端が携帯端末装置２６に接続され、接続用ケーブル９の他端には接続用コネクタ３３が設けられている。
【００１２】
なお、２台のかごを有するエレベータ装置のうち、一側の三方枠３（図１における左側の三方枠）の出入り口２を介して乗客が乗降するかごに関わる部分をエレベータ装置のＡ号機、他側の三方枠３（図１における右側の三方枠）の出入り口２を介して乗客が乗降するかごに関わる部分をエレベータ装置のＢ号機と記載する。
【００１３】
図２及び図３において、配設穴５ａの底部５ｂ（反乗場側の壁）には通線穴５ｃが形成されている。
また、一端がかごの昇降を制御するエレベータ制御装置（図示せず）に接続された配線用ケーブル１０ａの他端が通線穴５ｃを介して配設穴５ａ内に引き込まれ、さらにカバープレート１２の裏面側から乗場呼び釦１２ａ及び表示部１２ｂに接続されている。
そして、乗場操作装置１１が、最下階の配設穴５ａに固定されている。乗場操作装置１１は、上述のカバープレート１２、カバープレート可動部１３、コネクタセット３０ａ，３０ｂ、及び４つのスライド棒支持部２０を有している。
【００１４】
カバープレート可動部１３は、軸回動部１４及びスライド棒１７を有している。
そして、軸回動部１４は、円筒部１５および鉛直回動軸１６で構成されている。そして、棒状の鉛直回動軸１６が円筒部１５の穴（図示せず）に遊嵌状態に挿通されている。さらに、鉛直回動軸１６は、円筒部１５の両端面から突出された両端が垂直に同方向に折り曲げられている。即ち、鉛直回動軸１６は、図３に示されるように、基部１６ａと基部１６ａの両端から基部１６ａに対して垂直に延出される延出部１６ｂからなるコの字状に加工されている。
また、スライド棒１７は、断面円の柱状のものが用いられ、円筒部１５の外周面における軸方向の中間の部位に、円筒部１５の軸方向に対して垂直に延出するように固着されている。
【００１５】
そして、４つのカバープレート可動部１３のそれぞれが、カバープレート１２の裏面の角部近傍のそれぞれに鉛直回動軸１６の両延出部１６ｂの先端を固着することにより取り付けられ、スライド棒１７は、配設穴５ａ内に配置されている。このとき、鉛直回動軸１６のコの字状の開口がカバープレート１２の裏面に向けられ、さらに、基部１６ａの長さ方向が鉛直方向に合わせられている。
これにより、円筒部１５および円筒部１５の外周面から垂直に突出するスライド棒１７が、鉛直回動軸１６の基部１６ａを軸とした鉛直軸周りに回動自在となっている。
即ち、スライド棒１７は、カバープレート１２の裏面側の先端を支点とする鉛直軸周りに回動自在となる。
【００１６】
また、スライド棒支持部２０は、図４に示されるように、両端間を貫通する挿通穴２１ａが形成された円筒状のスライド棒挿通部材２１、及びスライド棒挿通部材２１の外周面からスライド棒挿通部材２１の軸方向に対して垂直に突出される円柱状の調整回動部２２を有している。さらに、調整回動部２２には、後述の支持凸部２３が嵌合される凸部嵌合穴２２ａが所定の深さに同軸に形成されている。
【００１７】
ここで、凸部嵌合穴２２ａの穴に遊嵌状態に嵌合可能な４つの支持凸部２３が、配設穴５ａの上部及び下部内壁のそれぞれにおいて、配設穴５ａの両側壁近傍、かつ、配設穴５ａの開口部から奥行き方向に所定の距離の位置に、鉛直方向に突出して設けられている。
そして、各支持凸部２３のそれぞれに、調整回動部２２の凸部嵌合穴２２ａがそれぞれ嵌合されている。さらに、スライド棒支持部２０のスライド棒挿通部材２１における挿通穴２１ａのそれぞれに、カバープレート１２の裏面の各角部近傍に取り付けた円筒部１５から延出されるスライド棒１７のそれぞれが挿通されている。
【００１８】
つまり、スライド棒支持部２０のそれぞれは、支持凸部２３を軸として、鉛直軸周りに回動自在となり、スライド棒挿通部材２１の挿通穴２１ａに挿通されたスライド棒１７が水平面内で回動したときには連動して回動するようになっている。
【００１９】
これにより、カバープレート１２は、スライド棒１７が挿通されたスライド棒支持部２０により支持され、さらに、カバープレート１２の両長辺側のそれぞれを独立して任意の距離だけ乗場１側に引き出すことが可能となる。
例えば、カバープレート１２のＡ号機側の長辺側が乗場１に引き出されると、Ｂ号機側の鉛直回動軸１６の基部１６ａを軸とした鉛直軸周りに回動するようにカバープレート１２が移動する。
【００２０】
このとき、Ａ号機側のスライド棒挿通部材２１に挿通された２つのスライド棒１７は、カバープレート１２の動きに連動するため、Ｂ号機側の鉛直回動軸１６の基部１６ａを軸として回動するように、スライド棒挿通部材２１に支持された状態でスライド移動する。スライド棒１７の移動につれて、Ａ号機側のスライド棒１７の長さ方向が、初期状態からずれるが、スライド棒支持部２０は、鉛直軸周りに回動自在となっているので、Ａ号機側のスライド棒支持部２０は、その軸方向が、Ａ号機側のスライド棒１７の長さ方向に一致したまま回動する。
これにより、カバープレート１２のＡ号機側のみを引き出した場合でも、Ａ号機側のスライド棒１７のスライド動作はカバープレート１２の引き出し動作を制限することなく行われる。
【００２１】
なお、カバープレート１２のＢ号機側の長辺側を引き出した場合には、上述の説明において、Ａ号機側とＢ号機側の構成を入れ替えるだけで説明され、カバープレート１２のＢ号機側のみを引き出した場合、Ｂ号機側のスライド棒１７のスライド動作はカバープレート１２の引き出し動作を制限することなく行われる。
【００２２】
従って、カバープレート１２は、その主面を乗場１の壁５に対して、鉛直方向と平行な状態で任意の角度に傾斜させることができる。
【００２３】
また、コネクタセット３０ａ，３０ｂのそれぞれは同じ機能を有し、コネクタセット３０ａはコネクタとしての第１のコネクタ３１Ａ及びコネクタ取付板３２を、コネクタセット３０ｂは、コネクタとしての第２のコネクタ３１Ｂ及びコネクタ取付板３２を有している。
【００２４】
コネクタセット３０ａ，３０ｂそれぞれのコネクタ取付板３２は、矩形平板状に形成されている。そして、コネクタセット３０ａのコネクタ取付板３２が、長辺の長さ方向を鉛直方向に合わせて配置され、カバープレート１２の裏面から垂直に突出するようにカバープレート１２の裏面におけるＡ号機側の三方枠３側の長辺の近傍に沿ってそれぞれ固着されている。コネクタセット３０ｂのコネクタ取付板３２が、長辺の長さ方向を鉛直方向に合わせて配置され、カバープレート１２の裏面から垂直に突出するようにカバープレート１２の裏面におけるＢ号機側の三方枠３側の長辺の近傍に沿ってそれぞれ固着されている。
【００２５】
また、第１のコネクタ３１Ａ及び第２のコネクタ３１Ｂは、それぞれ単コネクタ３１ａ〜３１ｃを有している。そして、第１のコネクタ３１Ａの単コネクタ３１ａ〜３１ｃは、カバープレート１２裏面におけるＡ号機の三方枠３側の長辺の縁部に沿って、かつ嵌合部をＡ号機側の三方枠３側に向けてコネクタ取付板３２に固定されている。また、第２のコネクタ３１Ｂの単コネクタ３１ａ〜３１は、カバープレート１２裏面におけるＢ号機の三方枠３側の長辺の縁部に沿って、かつ嵌合部をＢ号機の三方枠３側に向けてコネクタ取付板３２に取り付けられている。
【００２６】
なお、単コネクタ３１ａ及び単コネクタ３１ｂは、一端がエレベータ制御装置に電気的に接続された配線用ケーブル１０ａの他端がそれぞれ接続され、単コネクタ３１ｃは一端がかご内に設けられたスピーカ（図示せず）などの報知手段に電気的に接続された配線用ケーブル１０ｂが接続されている。
【００２７】
上記のように２組のコネクタセット３０ａ，３０ｂを配設することにより、カバープレート１２のＡ号機側が引き出されると、Ａ号機側のコネクタセット３０ａの単コネクタ３１ａ〜３１ｃの嵌合部が乗場１側に露出され、カバープレート１２のＢ号機側が引き出されると、Ｂ号機側のコネクタセット３０ｂの単コネクタ３１ａ〜３１ｃの嵌合部が乗場１側に露出される。
【００２８】
次いで、エレベータ装置のメンテナンス作業要領を図５〜図７を参照しつつ説明する。
エレベータ装置のメンテナンスは、エレベータ装置のＡ号機またはＢ号機毎に行われる。ここでは、エレベータ装置のうちＡ号機のメンテナンス作業について説明する。
【００２９】
作業者は、カバープレート１２のＡ号機側の長辺側を引っ張りだし、第１のコネクタ３０Ａの単コネクタ３１ａ〜３１ｃの嵌合部を乗場１側に露出させる。このとき、カバープレート１２のＢ号機側は、引き出されていないので、カバープレート１２の他方の長辺は乗場１の壁５の近傍に隣接したままである。
これにより、通常通りの昇降運転が行われているＢ号機のかご内に乗り込もうとする乗客には、配設穴５ａの内部がカバープレート１２によって遮られて見えないようになっている。
【００３０】
そして、一端が携帯端末装置２６などに接続された接続用ケーブル９の他端に取り付けられた接続用コネクタ３３を単コネクタ３１ｂに嵌合させる。
【００３１】
これにより、携帯端末装置２６が、エレベータ制御装置と接続される。そして、かごの走行を制御する際のかご走行速度など、エレベータ制御装置内に書き込まれたデータの書き換えや、かごがどれだけの距離を走行したかなどの運転情報をエレベー制御盤から取り出しなどのメンテナンス作業を行う。
また、図示しないが、単コネクタ３１ａ及び単コネクタ３１ｃのそれぞれに、一端がポータブルコントローラまたはかご内報知手段コントローラに接続された接続用ケーブルの他端に設けられた接続用コネクタを必要に応じてそれぞれ嵌合する。
【００３２】
これにより、ポータブルコントローラは、エレベータ制御装置に接続され、ポータブルコントローラの操作に連動した任意のかごの移動をエレベータ制御装置に行わせることができるようになる。そして、かごを昇降路内の所望の位置に動かし、出入り口２からかご上を点検するなどのメンテナンス作業を行う。
また、かご内報知手段コントローラは、かご内に配設されたスピーカに接続される。そして、乗場１から、かご内への音声報知が正常に行えるか否かを点検するなどのメンテナンス作業を行う。
【００３３】
メンテナンス作業が終了したら、接続用コネクタ３３を単コネクタ３１ａ〜３１ｃから取り外し、カバープレート１２を乗場１の壁５側に押し込んで配設穴５ａをカバープレート１２で塞口する。
【００３４】
なお、エレベータ装置のＢ号機のメンテナンス作業を行う場合には、カバープレートの１２のＢ号機側の長辺側を乗場１の壁５から引き出し、エレベータ装置のＡ号機と同様にメンテナンス作業を行う。
【００３５】
この発明によれば、カバープレート１２の裏面の角部近傍に取り付けられた鉛直回動軸１６を軸とした鉛直軸周りに回動可能な円筒部１５の外周面から、スライド棒１７が配設穴５ａ内に延出され、さらにスライド棒１７は、配設穴５ａの内壁に配設されたスライド棒支持部２０のそれぞれのスライド棒挿通部材２１に挿通されて支持されている。従って、エレベータ装置のメンテナンスを行う際、カバープレート１２を乗場１から引き出したときにも、カバープレート１２が安定した状態に保持される。
【００３６】
また、２組のコネクタセット３０ａ，３０ｂが、カバープレート１２の裏面にコネクタ取付板３２がカバープレート１２の裏面から配設穴５ａに垂直に突出するように配設され、さらに、第１のコネクタ３１Ａ及び第２のコネクタ３１Ｂのそれぞれの単コネクタ３１ａ〜３１ｃの嵌合部がカバープレート１２を乗場１側に引き出したときに乗場１側に露出されるようにコネクタ取付板３２に配設されている。
【００３７】
従って、エレベータ装置のメンテナンス作業を行う際、乗場１側に露出された第１のコネクタ３１Ａ及び第２のコネクタ３１Ｂのいずれかの単コネクタ３１ａ〜３１ｃに、接続用ケーブル９の先端に設けられた単コネクタ３１ａ〜３１ｃに対応する接続用コネクタ３３を嵌合させるので、配設穴５ａ内に引き回された配線用ケーブル１０ａ，１０ｂが邪魔をすることがなくなる。従って、単コネクタ３１ａ〜３１ｃと携帯端末装置２６、ポータブルスイッチ、及びかご内報知手段コントローラとの間の接続作業の作業効率を向上させることができる。
【００３８】
さらに、第１のコネクタ３１Ａ及び第２のコネクタ３１Ｂの単コネクタ３１ａ〜３１ｃの少なくとも一方を乗場１側に露出させるのには、カバープレート１２を単コネクタ３１ａ〜３１ｃの寸法程度引き出すだけであり、単コネクタ３１ａ〜３１ｃと携帯端末装置２６、ポータブルスイッチ、及びかご内報知手段コントローラとの間の接続作業の作業効率を一層向上させることができる。
同時に、カバープレート１２は、従来のエレベータ装置のように宙吊りになることなく、安定した状態に保持されているので、乗場１側から配設穴５ａ（従来のエレベータ装置のボックスに相当）内に引き回された接続用ケーブル９がカバープレート１２と配設穴５ａとの間に挟まれるようなことが未然に防止され、接続用ケーブル９に負荷をかけたり傷を負わせたりすることがなくなる。
【００３９】
また、カバープレート１２のＡ号機側を引き出したときには、第１のコネクタ３１Ａの単コネクタ３１ａ〜３１ｃの嵌合部がそれぞれ、Ａ号機側の三方枠３に向けて露出され、カバープレート１２のＢ号機側を引き出したときには、第２のコネクタ３１Ｂの単コネクタ３１ａ〜３１ｃの嵌合部がＢ号機側の三方枠３に向けて露出されるようになっている。
従って、本実施の形態のようにＡ号機及びＢ号機を有するエレベータ装置のメンテナンス作業を行う場合、例えば、第１のコネクタ３１Ａ及び第２のコネクタ３１Ｂのうち、Ａ号機及びＢ号機のうちメンテナンスを行う側を乗場１側に露出させるようにカバープレート１２を引き出すことなどを、予め、取り決めしておけば、Ａ号機またはＢ号機のどちらをメンテナンスしているかを誤認することがなくなる。
【００４０】
また、例えば、Ａ号機がメンテナンス対象であり、Ｂ号機が通常運転している場合には、通常通りの昇降運転が行われているＢ号機のかご内に乗り込もうとする乗客からは、配設穴５ａの内部が見えないようにカバープレート１２を乗場１の壁５に対して傾けた状態でメンテナンスを行えば、Ｂ号機の乗客に対して、エレベータ装置の意匠性が保たれる。さらに、カバープレート１２が安定して支持されているので、Ｂ号機を利用する乗客により乗場呼び釦１２ａが押されても大きく動いたりすることがない。また、Ｂ号機がメンテナンス対象である場合には、カバープレート１２を乗場１の壁５に対して逆に傾ければ同様の効果が得られる。
【００４１】
なお、この実施の形態では、２台のかごのそれぞれを昇降させるＡ号機及びＢ号機を有するエレベータ装置を対象に、２組のコネクタセット３０ａ，３０ｂを設けるものとして説明したが、コネクタセット３０ａ，３０ｂのそれぞれは同様の機能を有するものであり、一組のコネクタセットだけを配設し、エレベータ装置のＡ号機及びＢ号機のメンテナンスを行ってもよい。
【００４２】
また、４つのカバープレート可動部１３のそれぞれが、カバープレート１２の裏面の角部近傍のそれぞれから、スライド棒１７が、配設穴５ａ内に延設されるようにカバープレート１２の裏面に配設されるものとして説明したが、４つのカバープレート可動部１３を配設するものに限定されず、カバープレート回動部１３は、少なくとも一対のスライド棒１７が、所定の間隔をあけ、カバープレート１２の裏面から配設穴５ａ内に水平に延設されるように配設されていれば、カバープレート可動部１３の配設数は、カバープレート１２の大きさなどに応じて適宜決定すればよい。
【００４３】
また、コネクタセット３０ａ,３０ｂのコネクタ取付板３２のそれぞれに、３つの単コネクタ３１ａ〜３１ｃを、携帯端末装置２６、ポータブルコントローラ及び報知手段コントローラのそれぞれとエレベータ装置とを接続するために設けるものとして説明したが、コネクタ取付板３２には、３つの単コネクタ３１ａ〜３１ｃを配設するものに限定されず、単コネクタの配設数は、必要とされるエレベータ装置と乗場１に用意された携帯端末装置２６等の装置との接続数に応じて適宜設計すればよい。
また、単コネクタ３１ａ〜３１ｃは、直接カバープレート１２の裏面に取り付けてもよい。
【００４４】
また、乗場操作装置１１は、最下階の乗場１の壁５に配設するものとして説明したが、最下階の乗場１の壁５に配設するものに限定されず、エレベータ装置の仕様にあわせ、他の階床の乗場１の壁５に配設してもよい。
【００４５】
また、単コネクタ３１ｃが、かご内に配設された報知手段としてのスピーカに配線用ケーブル１０ｂを介して接続されているものとして説明したが、かごに配設され、乗場１から遠隔操作による操作の必要性が生じる機器（ディスプレイなど）の配設数に応じて、各機器を配線用ケーブルを介して電気的に単コネクタに接続しておいてもよい。
【００４６】
また、乗場操作装置１１のコネクタセット３０ａ，３０ｂは、乗場１の壁５に設けられた配設穴５ａを覆うカバープレート１２の裏面に配設され、スライド棒挿通部材２１は、配設穴５ａの内壁に配設されるものとして説明したが、配設穴５ａは、上述の従来のエレベータ装置における乗場１に開口するボックス内部の空間も含まれるものとする。即ち、例えば、従来のエレベータ装置のボックス内部の空間を覆うカバープレートの裏面にコネクタセット３０ａ，３０ｂを配設し、ボックスの内壁にスライド棒挿通部材２１を配設してスライド棒１７をスライド棒挿通部材２１に挿通させれば、乗場操作装置１１を従来のエレベータ装置のボックス内部の空間に対して配設することができる。
【図面の簡単な説明】
【００４７】
【図１】この発明に係る乗場操作装置がエレベータの最下階の乗場の壁に設けられた状態を示す正面図である。
【図２】図１のＩＩ−ＩＩ矢視断面である。
【図３】図２のＩＩＩ−ＩＩＩ矢視断面図である。
【図４】この発明に係る乗場操作装置のスライド棒支持部の構成を示す斜視図である。
【図５】この発明に係る乗場操作装置のカバープレートが乗場の壁から乗場側に引き出された状態を示す正面図である。
【図６】図５のＶＩ−ＶＩ矢視断面図である。
【図７】図６のＶＩＩ−ＶＩＩ矢視断面図である。
【符号の説明】
【００４８】
１  乗場、３  三方枠、５  壁、５ａ  配設穴、１２  カバープレート、１２ａ  乗場呼び釦、１２ｂ  表示部、１７  スライド棒、２１  スライド棒挿通部材、２１ａ  挿通穴、３１Ａ  第１のコネクタ（コネクタ）、３１Ｂ  第２のコネクタ（コネクタ）。
【図１】
2008174317.tif 000003
【図２】
2008174317.tif 000004
【図３】
2008174317.tif 000005
【図４】
2008174317.tif 000006
【図５】
2008174317.tif 000007
【図６】
2008174317.tif 000008
【図７】
2008174317.tif 000009